(57)【要約】【課題】ユーザーの利便性を向上させる。【解決手段】表示入力装置は、設定操作を受け付けるための複数の画像を配置した設定画面を表示する表示部と、設定画面に対する設定操作を受け付けるとともに、設定操作を受け付けるときに、複数の画像のうちから、通信先となる相手機での表示を許可しない画像である不許可画像を選択するための選択操作も受け付けるタッチパネル部と、設定画面から不許可画像を省略した画面を共有画面として相手機に表示させるための画面データを相手機に送信し、共有画面を相手機に表示させる通信部と、を備える。【選択図】図７
2016033753.tif 000002
【特許請求の範囲】
【請求項１】
設定操作を受け付けるための複数の画像を配置した設定画面を表示する表示部と、
前記設定画面に対する前記設定操作を受け付けるとともに、前記設定操作を受け付けるときに、前記複数の画像のうちから、通信先となる相手機での表示を許可しない画像である不許可画像を選択するための選択操作も受け付けるタッチパネル部と、
前記設定画面から前記不許可画像を省略した画面を共有画面として前記相手機に表示させるための画面データを前記相手機に送信し、前記共有画面を前記相手機に表示させる通信部と、を備えることを特徴とする表示入力装置。
【請求項２】
前記相手機にて前記共有画面に対する操作が行われることにより前記相手機から送信されるデータであり、前記相手機での前記共有画面に対する操作内容を示すデータである操作データを前記通信部が受信したとき、
前記表示部は、現在表示中の前記設定画面から、前記相手機での前記共有画面に対する操作と同じ操作が前記設定画面に対して行われた場合に表示すべき画面への表示切替を行うことを特徴とする請求項１に記載の表示入力装置。
【請求項３】
前記画面データは、前記選択操作の受付時に前記表示部が表示していた前記設定画面の下位階層の画面を表示するためのデータを含まないことを特徴とする請求項１または２に記載の表示入力装置。
【請求項４】
前記タッチパネル部は、枠を描くようにタッチ位置を移動させる第１操作を前記選択操作として受け付け、前記第１操作が行われると、前記複数の画像のうち、前記枠の外側の画像または前記枠の内側の画像を前記不許可画像とする旨を受け付けることを特徴とする請求項１〜３のいずれか１項に記載の表示入力装置。
【請求項５】
前記タッチパネル部は、前記複数の画像のうちいずれかの画像に対するタッチを解除することなくタッチ位置を所定領域の外側に移動させる第２操作を前記選択操作として受け付け、前記第２操作が行われると、前記複数の画像のうち前記第２操作の操作対象となった画像を前記不許可画像とする旨を受け付けることを特徴とする請求項１〜４のいずれか１項に記載の表示入力装置。
【請求項６】
前記設定画面は、画像形成装置の設定を受け付けるための画面であり、
前記通信部は、前記設定画面で設定された内容を示す設定データを前記画像形成装置に送信することを特徴とする請求項１〜５のいずれか１項に記載の表示入力装置。
【請求項７】
請求項１〜６のいずれか１項に記載の表示入力装置と、
前記表示入力装置の通信先となる相手機と、を備え、
前記相手機は、前記表示入力装置から前記画面データを受信すると、前記共有画面を表示することを特徴とする表示入力システム。
【発明の詳細な説明】
【技術分野】
【０００１】
本発明は、複数の画像を配置した設定画面を表示する表示入力装置およびそれを備えた表示入力システムに関する。
【背景技術】
【０００２】
スマートフォンやタブレットのような表示入力装置には、現在表示中の設定画面を通信先の相手機にも表示させることが可能なものがある。このような表示入力装置では、通信元の自機ユーザーは、相手機ユーザーのもとに赴くことなく、相手機ユーザーに現在表示中の設定画面の確認などを行ってもらうことができる。しかし、設定画面には複数の画像（たとえば、ソフトキーやアイコン、テキスト画像など）が配置されており、ユーザーによっては、複数の画像のうち所定画像については、相手機ユーザーに見られたくない場合や、相手機ユーザーに操作されたくない場合がある。
【０００３】
ここで、特許文献１には、ユーザークライアントからサーバーに対して業務情報の照会要求がなされたとき、ユーザークライアントに業務情報照会画面を表示させる情報管理システムが開示されている。特許文献１では、業務情報に含まれる複数の項目（氏名や性別など）ごとに参照を許可するか否かを予め定めた情報（テーブル）が記憶される。そして、複数の項目のうち参照が不許可となっている項目を非表示（黒塗り）とした業務情報照会画面をユーザークライアントに表示させるようにしている。
【０００４】
この特許文献１の技術を表示入力装置に適用すると、設定画面内の複数の画像のうち相手機ユーザーに見られたくない所定画像が存在しても、その所定画像を相手機ユーザーに見られないようにすることができる。具体的には、複数の画像ごとに相手機での表示を許可するか否かを予め定めた情報を表示入力装置に格納しておき、相手機での表示が許可されている画像のみを配置した設定画面が相手機で表示されるように構成すればよい。
【先行技術文献】
【特許文献】
【０００５】
【特許文献１】特開２００９−１４６１９８号公報
【発明の概要】
【発明が解決しようとする課題】
【０００６】
特許文献１の技術を表示入力装置に適用した構成では、現在表示中の設定画面を相手機にも表示させるとき、複数の画像ごとに相手機での表示を許可するか否かを予め定めた情報に基づき、相手機での表示を許可しない画像（相手機での表示を許可する画像）が判別されることになる。このため、設定画面に対して設定操作を行っているときに、現在表示中の設定画面を相手機にも表示させたい場合、相手機での表示を許可しない画像を任意に選択（変更）することができない。仮に、相手機での表示を許可しない画像を変更したい場合には、複数の画像ごとに相手機での表示を許可するか否かを予め定めた情報の更新が必要となる。したがって、ユーザーにとっては利便性が悪い。
【０００７】
本発明は、上記従来技術の問題点に鑑み、現在表示中の設定画面（複数の画像が配置された画面）を通信先となる相手機にも表示させることができる構成において、設定画面に対して設定操作を行っているときに、相手機での表示を許可しない画像を任意に選択することを可能とすることによってユーザーの利便性を向上させることを課題とする。
【課題を解決するための手段】
【０００８】
上記課題を解決するため、本発明の表示入力装置は、設定操作を受け付けるための複数の画像を配置した設定画面を表示する表示部と、設定画面に対する設定操作を受け付けるとともに、設定操作を受け付けるときに、複数の画像のうちから、通信先となる相手機での表示を許可しない画像である不許可画像を選択するための選択操作も受け付けるタッチパネル部と、設定画面から不許可画像を省略した画面を共有画面として相手機に表示させるための画面データを相手機に送信し、共有画面を相手機に表示させる通信部と、を備える。
【０００９】
本発明の構成では、タッチパネル部は、設定画面（複数の画像を配置した画面）に対する設定操作を受け付けるときに、複数の画像のうちから、通信先となる相手機での表示を許可しない画像である不許可画像を選択するための選択操作も受け付ける。これにより、設定画面に対して設定操作を行っているときに、不許可画像を任意に選択することができる。したがって、ユーザーの利便性が向上する。また、この構成では、選択操作を受け付けることによって不許可画像を選択するので、複数の画像ごとに相手機での表示を許可するか否かを予め定めておく作業が不要となる。
【発明の効果】
【００１０】
以上のように、本発明によれば、ユーザーの利便性が向上する。
【図面の簡単な説明】
【００１１】
【図１】本発明の一実施形態による携帯情報端末およびその端末を備えた表示入力システムの概略図
【図２】本発明の一実施形態による携帯情報端末およびその端末と通信する画像形成装置のハードウェア構成の一例を示した図
【図３】本発明の一実施形態による携帯情報端末と通信する画像形成装置の概略図
【図４】本発明の一実施形態による携帯情報端末に表示される設定画面（ホーム画面）の一例を示した図
【図５】本発明の一実施形態による携帯情報端末に表示される設定画面（設定項目画面）の一例を示した図
【図６】本発明の一実施形態による携帯情報端末が画面共有モード時に行う表示動作を説明するための図
【図７】本発明の一実施形態による携帯情報端末が画面共有モード時に行う表示動作を説明するための図（不許可キーを選択するための選択操作が行われた場合の図）
【図８】本発明の一実施形態による携帯情報端末が画面共有モード時に行う表示動作を説明するための図（図７の続き）
【図９】本発明の一実施形態による携帯情報端末が画面共有モード時に受け付ける選択操作（第１操作）の一例を説明するための図
【図１０】本発明の一実施形態による携帯情報端末が画面共有モード時に受け付ける選択操作（第１操作）の一例を説明するための図
【図１１】本発明の一実施形態による携帯情報端末が画面共有モード時に受け付ける選択操作（第２操作）の一例を説明するための図
【発明を実施するための形態】
【００１２】
本発明の一実施形態による表示入力装置について、スマートフォンやタブレットのような携帯情報端末を例にとって説明する。
【００１３】
＜表示入力システムの概要＞
図１に示すように、本実施形態の表示入力システム１００Ｓは、複数の携帯情報端末１００（「表示入力装置」に相当）を含む。各携帯情報端末１００は、他の携帯情報端末１００との間で各種データの送受信が可能となっている。また、各携帯情報端末１００は、画像形成装置２００との間での各種データの送受信も可能となっている。なお、表示入力システム１００Ｓの各装置は、インターネット通信や近距離無線通信などによって各種データの送受信を行う。
【００１４】
たとえば、携帯情報端末１００は、画像形成装置２００の設定を行うための設定画面Ｓ（図４および図５参照）を表示し、画像形成装置２００の設定をユーザーから受け付ける。また、携帯情報端末１００は、ユーザーから指示を受け、設定画面Ｓで設定された内容（設定値の設定がなされた設定項目およびその設定値など）を示す設定データを画像形成装置２００に送信する。そして、画像形成装置２００では、携帯情報端末１００から設定データを受信すると、その設定データに基づき設定内容の変更がなされる。これにより、ユーザーが画像形成装置２００に対して直接操作を行わなくても、画像形成装置２００の設定内容がユーザー所望の設定内容に変更される。なお、設定画面Ｓについては後に詳細に説明する。
【００１５】
ここで、表示入力システム１００Ｓを成す複数の携帯情報端末１００の各構成は、互いに同じであってもよいし、異なっていてもよい。以下の説明では、一例として、複数の携帯情報端末１００の各構成が互いに同じであるものとする。
【００１６】
＜携帯情報端末の概要＞
図２に示すように、携帯情報端末１００は、端末制御部１１０、端末表示部１２０、端末タッチパネル部１３０、端末通信部１４０および端末記憶部１５０を備える。端末表示部１２０は「表示部」に相当し、端末タッチパネル部１３０は「タッチパネル部」に相当し、端末通信部１４０は「通信部」に相当する。
【００１７】
端末制御部１１０は、携帯情報端末１００の全体制御を行う。端末表示部１２０は、設定画面Ｓ（図４および図５参照）など各種画面を表示する。なお、端末表示部１２０が表示する画面には、種々の画像（たとえば、ソフトキーやアイコン、テキスト画像など）が配置される。端末タッチパネル部１３０は、端末表示部１２０の表示画面に対するタッチ操作を受け付ける。
【００１８】
端末表示部１２０および端末タッチパネル部１３０は、端末制御部１１０により制御される。たとえば、端末制御部１１０は、端末表示部１２０の表示動作を制御する。また、端末制御部１１０は、端末タッチパネル部１３０の出力に基づき、端末表示部１２０の表示画面に対するタッチ操作を検知する（たとえば、タッチ操作がなされたソフトキーを特定する）。
【００１９】
端末通信部１４０は、端末制御部１１０により制御され、インターネット通信や近距離無線通信などを行う。たとえば、端末通信部１４０は、外部機器（他の携帯情報端末１００や画像形成装置２００）との間で各種データを送受信する。端末記憶部１５０は、携帯情報端末１００を制御するためのプログラムやデータを記憶する。たとえば、制御用のプログラムやデータとして、画像形成装置２００の設定を行うためのアプリケーションＡＰが端末記憶部１５０に記憶される。
【００２０】
アプリケーションＡＰは、端末通信部１４０によるインターネット通信により、外部のサーバー（図示せず）からダウンロードされ、端末記憶部１５０に格納される。端末記憶部１５０にアプリケーションＡＰが記憶されると、端末制御部１１０は、アプリケーションＡＰを起動するためのアプリケーションアイコン（図示せず）の表示を端末表示部１２０に行わせる。そして、端末制御部１１０は、端末タッチパネル部１３０の出力に基づきアプリケーションアイコンに対するタッチ操作を検知すると、アプリケーションＡＰを起動するための処理を行う。これにより、携帯情報端末１００に設定画面Ｓ（図４および図５参照）が表示され、携帯情報端末１００を用いた画像形成装置２００の設定が可能となる。
【００２１】
＜画像形成装置の構成＞
画像形成装置２００は、コピー機能やファックス機能など複数種の機能を搭載する複合機である。この画像形成装置２００は、図３に示すように、画像読取部２０１、印刷部２０２および操作パネル２０３を備える。
【００２２】
画像読取部２０１は、原稿を読み取り、原稿の画像データを生成する。たとえば、画像読取部２０１の読み取りによって得られた原稿の画像データは、後述する主制御部２１０により各種画像処理が施される。そして、その画像データは、ファクシミリデータの基データとなる。あるいは、画像データは、印刷部２０２による印刷画像の基データとなる。
【００２３】
印刷部２０２は、給紙部２１、用紙搬送部２２、画像形成部２３および定着部２４によって構成される。給紙部２１は、用紙カセットＰＣに収容された用紙を用紙搬送路ＰＰに供給する。用紙搬送部２２は、用紙搬送路ＰＰに沿って用紙を搬送する。画像形成部２３は、感光体ドラム１、帯電装置２、露光装置３、現像装置４、転写ローラー５およびクリーニング装置６を含む。そして、画像形成部２３は、画像データに基づきトナー像を形成し、そのトナー像を用紙に転写する。定着部２４は、用紙に転写されたトナー像を加熱および加圧して定着させる。
【００２４】
操作パネル２０３は、タッチパネル付きの表示パネル３１を含む。表示パネル３１は、各種設定などを受け付けるためのソフトキーやメッセージを表示する。また、操作パネル２０３には、スタートキー３２やテンキー３３などのハードキーが設けられる。なお、操作パネル２０３に対する操作によっても、画像形成装置２００の設定を行える。
【００２５】
また、画像形成装置２００は、図２に示すように、主制御部２１０を備える。主制御部２１０は、画像データに対して各種画像処理（拡大／縮小、濃度変換およびデータ形式変換など）を行ったり、画像読取部２０１の読取動作や印刷部２０２の印刷動作などを制御したりする。
【００２６】
また、画像形成装置２００は、装置通信部２２０を備える。装置通信部２２０は、外部機器（携帯情報端末１００など）と通信可能に接続される。そして、装置通信部２２０は、主制御部２１０により制御され、外部機器との間で各種データの送受信を行う。たとえば、装置通信部２２０は、画像形成装置２００の設定内容を示す設定データを携帯情報端末１００から受信する。そして、主制御部１１０は、装置通信部２２０が設定データを受信すると、その設定データに基づき画像形成装置２００の設定内容を変更する。
【００２７】
＜画像形成装置に関する設定画面＞
携帯型携帯情報端末情報端末１００は、アプリケーションＡＰの起動により、図４に示すようなホーム画面（初期画面）Ｓ１を設定画面Ｓとして表示する。このホーム画面Ｓ１は、画像形成装置２００に関する設定画面Ｓのうち、階層的に最上位に位置する画面である。
【００２８】
ホーム画面Ｓ１には、複数の機能キーＫ１１（「画像」に相当）が配置される。この機能キーＫ１１は、ホーム画面Ｓ１より１つ下の階層に位置する複数の設定画面Ｓのうちから、ホーム画面Ｓ１の次に表示させる設定画面Ｓを選択するためのキーである。たとえば、複数の機能キーＫ１１のうちコピーキーをタッチすると、ホーム画面Ｓ１より１つ下の階層に位置する設定画面Ｓであり、コピー機能の設定を行うための設定画面Ｓである設定項目画面Ｓ２（図５参照）が表示される。
【００２９】
なお、ホーム画面Ｓ１に配置する機能キーＫ１１の個数および種類は任意に変更可能である。図４には、一例として、コピーキー以外に、ボックスキー、ファックスキー、ステータスキー、ショートカットキーおよびプログラムキーが機能キーＫ１１として配置されたホーム画面Ｓ１を図示している。そして、これら複数の機能キーＫ１１のうちコピーキー以外の機能キーＫ１１をタッチした場合には、図示しないが、タッチ操作の対象となった機能キーＫ１１に対応付けられた画面が設定画面Ｓとして表示される。
【００３０】
たとえば、ファックスキーをタッチした場合には、ファックス機能の設定（ファックス通信先の設定など）を行うための画面が設定画面Ｓとして表示される。ボックスキーをタッチした場合には、ボックス機能の設定を行うための画面が設定画面Ｓとして表示される。なお、ボックス機能というのは、画像読取部２０１による原稿の読み取りによって得られた画像データを蓄積したり、その蓄積した画像データに基づく印刷を印刷部２０２に行わせたりする機能である。なお、ボックス機能の設定を行うための画面では、使用するボックス（予め登録された保存領域）の選択などを行うことができる。
【００３１】
また、ステータスキーをタッチした場合には、画像形成装置２００のスペックや装置状態、あるいは、画像形成装置２００との間の通信状態など各種状態を示す画面が設定画面Ｓとして表示される。ショートカットキーをタッチした場合には、そのショートカットキーに予め対応付けた画面が設定画面Ｓとして表示される。プログラムキーをタッチした場合には、プログラム機能の設定や予め登録したプログラムの選択を行うための画面が設定画面Ｓとして表示される。なお、プログラム機能というのは、コピー機能やファックス機能などに関する複数の設定項目のうち選択した１つ以上の設定項目（設定値）をプログラムとして登録しておく機能である。
【００３２】
コピー機能の設定項目画面Ｓ２には、図５に示すように、コピー機能に関する複数の設定項目にそれぞれ対応する複数の設定項目キーＫ２１（「画像」に相当）が配置される。図５には、一例として、カラー設定、原稿サイズ、用紙サイズ、ＯＨＰ合紙、両面／集約、および、ジョブ終了通知の各設定項目にそれぞれ対応する複数の設定項目キーＫ２１が配置された設定項目画面Ｓ２を図示している。この設定項目画面Ｓ２において、複数の設定項目キーＫ２１のうちいずれかをタッチすると、タッチ操作の対象となった設定項目キーＫ２１に対応付けられた設定値画面（図示せず）が設定画面Ｓとして表示される。
【００３３】
設定値画面は、対応する設定項目の設定値を入力するための画面である。これにより、コピー機能に関する複数の設定項目の各設定値を所望値に変更することができる。この設定値画面での設定値の変更が確定すると、表示画面が設定値画面から設定項目画面Ｓ２に戻る。
【００３４】
その後、たとえば、設定項目画面Ｓ２に配置されたＯＫキーＫ２２をタッチすると、設定値画面（設定項目画面Ｓ２の下層画面）で設定した内容を示す設定データが携帯情報端末１００から画像形成装置２００に送信される。これにより、携帯情報端末１００から設定データを受信した画像形成装置２００では、設定データに基づく設定内容の変更が行われる。
【００３５】
なお、設定項目画面Ｓ２には、キャンセルキーＫ２３が配置される。このキャンセルキーＫ２３をタッチした場合には、たとえば、設定項目画面Ｓ２の下層画面である設定値画面（図示せず）で設定した内容がキャンセルされる。このとき、表示画面が設定項目画面Ｓ２からホーム画面Ｓ１に切り替わってもよい。
【００３６】
＜表示画面の共有＞
携帯情報端末１００は、自機で表示している設定画面Ｓを通信先の相手機（他の携帯情報端末１００）に表示させることが可能に構成される。たとえば、図４および図５に示すように、設定画面Ｓには、共有キーＳＫが配置される。そして、共有キーＳＫをタッチすると、画面共有モードに移行する。以下、図６を参照し、ホーム画面Ｓ１および設定項目画面Ｓ２を例にとって具体的に説明する。
【００３７】
自機側の端末制御部１１０は、ホーム画面Ｓ１に対する設定操作を受け付けるとき（ホーム画面Ｓ１の表示中）、共有キーＳＫに対するタッチ操作を検知すると、画面共有モードに移行させる。あるいは、画面共有モードに移行させる操作として予め定められたタッチジェスチャー（共有キーＳＫをタッチする操作とは異なる操作）が行われたことをトリガーとして、画面共有モードに移行してもよい。この場合には、共有キーＳＫを画面内に配置しなくてもよい。
【００３８】
なお、画面共有モードに移行するには、相手機にてアプリケーションＡＰ（図２参照）が起動されている必要がある。このため、画面共有モードへの移行時点では、相手機でもホーム画面（図示せず）が表示された状態となっている。
【００３９】
画面共有モードに移行すると、自機側の端末制御部１１０は、端末表示部１２０に指示し、ホーム画面Ｓ１内に送信キーＴＫを表示させる。そして、自機側の端末制御部１１０は、端末タッチパネル部１３０の出力に基づき送信キーＴＫに対するタッチ操作を検知すると、端末通信部１４０に指示し、自機で表示しているホーム画面Ｓ１と同じホーム画面Ｓ１を共有画面ＳＳとして相手機に表示させるための画面データを相手機へ送信させる。なお、相手機に画面データを送信する操作として予め定められたタッチジェスチャー（送信キーＴＫをタッチする操作とは異なる操作）が行われたことをトリガーとして、相手機に画面データを送信してもよい。この場合には、送信キーＴＫを画面内に配置しなくてもよい。
【００４０】
相手機が画面データを受信すると、自機で表示していたホーム画面Ｓ１と同じホーム画面Ｓ１が共有画面ＳＳとして相手機に表示される。すなわち、共有画面ＳＳには、複数の選択キーＫ１１の全てが配置される。そして、相手機にて共有画面ＳＳに対するタッチ操作（複数の選択キーＫ１１のうちいずれかをタッチする操作）が行われると、相手機での共有画面ＳＳに対する操作内容を示す操作データが相手機から自機に送信される。なお、操作データには、相手機にてどのようなタッチ操作が共有画面ＳＳに対して行われたか（複数の選択キーＫ１１のうちいずれに対してタッチ操作が行われたか）が定義される。
【００４１】
自機側の端末制御部１１０は、相手機からの操作データを端末通信部１４０が受信すると、現在表示中のホーム画面Ｓ１から、相手機での共有画面ＳＳに対するタッチ操作と同じ操作がホーム画面Ｓ１に対して行われた場合に表示すべき画面への表示切替を端末表示部１２０に行わせる。たとえば、相手機において、複数の機能キーＫ１１のうちコピーキーに対するタッチ操作が行われたとする。この場合、自機側の端末制御部１１０は、端末表示部１２０に指示し、コピー機能の設定を行うための設定項目画面Ｓ２を表示させる。
【００４２】
このように、画面共有モードに移行すると、自機で表示されている設定画面Ｓと同じ画面が共有画面ＳＳとして相手機にも表示される。そして、相手機にて共有画面ＳＳに対するタッチ操作が行われると、自機で表示中の設定画面Ｓは、相手機にて行われたタッチ操作と同じ操作が行われた場合に表示すべき画面に切り替わる。これにより、ユーザーからすると、画像形成装置２００の設定を行うときに、どのような操作を行えばよいかが分からなくても、相手機ユーザーから操作手順を示してもらうことができ、利便性が良い。
【００４３】
＜不許可キーの選択＞
画面共有モードに移行すると、自機で表示されている設定画面Ｓは、相手機にも表示される。しかし、ユーザーによっては、設定画面Ｓに配置された複数のソフトキーのうち所定キーについては、相手機ユーザーに見られたくない場合や、相手機ユーザーに操作されたくない場合がある。
【００４４】
そこで、本実施形態では、設定画面Ｓに配置された複数のソフトキーのうち、ユーザーにより選択されたキーについては相手機では非表示とする。以下に、図７および図８を参照し、ホーム画面Ｓ１および設定項目画面Ｓ２を例にとって具体的に説明する。
【００４５】
まず、自機側の端末制御部１１０は、画面共有モードに移行させるための操作（たとえば、ホーム画面Ｓ１内の共有キーＳＫをタッチする操作）を検知すると、画面共有モードに移行させる。
【００４６】
画面共有モードに移行すると、自機側の端末制御部１１０は、複数の機能キーＫ１１のうちから、相手機での表示を許可しない機能キーＫ１１を選択するための選択操作の受け付けを端末タッチパネル部１３０に行わせる。この選択操作により、相手機での表示を許可しない機能キーＫ１１として選択されたソフトキーは「不許可画像」に相当する。以下の説明では、相手機での表示を許可しない機能キーＫ１１を不許可キーＫ１１と称し、相手機での表示を許可する機能キーＫ１１（不許可キーＫ１１として選択されていないソフトキー）を許可キーＫ１１と称する場合がある。なお、選択操作については後に詳細に説明する。
【００４７】
たとえば、自機側の端末制御部１１０は、不許可キーＫ１１と許可キーＫ１１とを区別し易くするため、端末表示部１２０に指示し、不許可キーＫ１１の表示形態（たとえば、表示色など）を変化させる。あるいは、不許可キーＫ１１を不表示としてもよいし、不許可キーＫ１１を枠で囲ってもよい。図７では、複数の選択キーＫ１１のうち、ショートカットキーおよびプログラムキーが不許可キーＫ１１とされたものとし、それら不許可キーＫ１１の表示色が白黒反転された例を図示している。
【００４８】
自機側では、不許可キーＫ１１が確定すると、相手機に画面データを送信するための操作（たとえば、ホーム画面Ｓ１内の送信キーＴＫをタッチする操作）が行われる。この操作を検知すると、自機側の端末制御部１１０は、相手機への画面データの送信を端末通信部１２０に行わせる。このときに自機から相手機に送信される画面データは、自機で表示しているホーム画面Ｓ１から不許可キーＫ１１を省略した画面Ｓ１１を共有画面ＳＳとして相手機に表示させるためのデータである。また、自機から相手機に送信される画面データには、選択操作の受付時に自機で表示していたホーム画面Ｓ１の下位階層の画面を表示するためのデータは含まれない。
【００４９】
相手機が画面データを受信すると、自機で表示していたホーム画面Ｓ１から不許可キーＫ１１が省略された画面Ｓ１１が共有画面ＳＳとして相手機に表示される。すなわち、共有画面ＳＳ（Ｓ１１）には、複数の機能キーＫ１１のうち、許可キーＫ１１のみが配置され、不許可キーＫ１１は配置されない。ここでは、ショートカットキーおよびプログラムキーが不許可キーＫ１１とされている。したがって、共有画面ＳＳ（Ｓ１１）には、複数の機能キーＫ１１のうち、ショートカットキーおよびプログラムキーについては配置されない。
【００５０】
この後、相手機にて共有画面ＳＳ（Ｓ１１）に対するタッチ操作（複数の選択キーＫ１１のうちいずれかをタッチする操作）が行われる。一例として、複数の選択キーＫ１１のうち、コピーキーに対するタッチ操作が相手機にて行われたとする。
【００５１】
相手機にて共有画面ＳＳ（Ｓ１１）に対するタッチ操作が行われると、相手機での共有画面ＳＳ（Ｓ１１）に対する操作内容を示す操作データが相手機から自機に送信される。ここで、相手機が受信した画面データには、選択操作の受付時に自機で表示していたホーム画面Ｓ１の下位階層の画面を表示するためのデータは含まれない。したがって、相手機にて共有画面ＳＳ（Ｓ１１）に対するタッチ操作が行われても、相手機の表示画面は共有画面ＳＳ（Ｓ１１）のままであり、表示画面の切り替えは行われない。
【００５２】
自機側の端末制御部１１０は、相手機からの操作データを端末通信部１４０が受信すると、現在表示中のホーム画面Ｓ１から、相手機での共有画面ＳＳ（Ｓ１１）に対するタッチ操作と同じ操作がホーム画面Ｓ１に対して行われた場合に表示すべき画面への表示切替を端末表示部１２０に行わせる。ここでは、複数の選択キーＫ１１のうちコピーキーに対するタッチ操作が相手機にて行われたので、自機側の端末制御部１１０は、コピーキーに対応付けられた設定項目画面Ｓ２の表示を端末表示部１２０に行わせる。
【００５３】
ここで、階層的に最上位に位置するホーム画面Ｓ１と同様、そのホーム画面Ｓ１の下位階層に位置する設定項目画面Ｓ２についても、引き続き、相手機との間で画面の共有を行うことができる。すなわち、自機側の端末制御部１１０は、相手機からの操作データに基づき設定項目画面Ｓ２の表示を端末表示部１２０に行わせた後、再度、選択操作の受け付けを端末タッチパネル部１３０に行わせる。
【００５４】
以降の制御は、ホーム画面Ｓ１の表示を相手機との間で共有するときの制御と同様である。具体的には、自機側の端末制御部１１０は、端末タッチパネル部１３０の出力に基づき選択操作を検知し、複数の設定項目キーＫ２１のうちから、相手機での表示を許可しない設定項目キーＫ２１（以下、不許可キーＫ２１と称する場合がる）を認識する。言い換えると、自機側の端末制御部１１０は、不許可キーＫ２１として選択されていない設定項目キーＫ２１（以下、許可キーＫ２１と称する場合がある）を認識する。また、自機側の端末制御部１１０は、端末通信部１４０に指示し、自機で表示している設定項目画面Ｓ２から不許可キーＫ２１を省略した画面Ｓ２１を共有画面ＳＳとして相手機に表示させるための画面データを相手機に送信させる。
【００５５】
その後、相手機にて共有画面ＳＳ（Ｓ２１）に対するタッチ操作が行われ、それによって相手機から送信される操作データ（相手機での共有画面ＳＳ（Ｓ２１）に対する操作内容を示すデータ）を受信すると、自機側の端末制御部１１０は、相手機での共有画面ＳＳ（Ｓ２１）に対するタッチ操作と同じ操作が設定項目画面Ｓ２に対して行われた場合に表示すべき画面への表示切替を端末表示部１２０に行わせる。たとえば、相手機において、複数の設定項目キーＫ２１のうち用紙サイズキーに対するタッチ操作が行われたとする。この場合、自機側の端末制御部１１０は、端末表示部１２０に指示し、用紙サイズを設定するための設定値画面Ｓ３を設定画面Ｓとして表示させる。
【００５６】
次に、画面共有モードでの選択操作について具体的に説明する。以下、ホーム画面Ｓ１において、複数の機能キーＫ１１のうちショートカットキーおよびプログラムキーを不許可キーＫ１１として選択する場合を例にとって説明する。
【００５７】
たとえば、端末タッチパネル部１３０は、枠を描くようにタッチ位置を移動させる操作（以下、第１操作と称する）を選択操作として受け付ける。そして、端末タッチパネル部１３０は、第１操作が行われると、複数の機能キーＫ１１のうち、枠の外側の機能キーＫ１１を不許可キーＫ１１とする旨を受け付ける。このような第１操作を選択操作として定めておくと、容易に、不許可キーＫ１１の選択を行うことができる。
【００５８】
具体的に、第１操作によって不許可キーＫ１１（ショートカットキーおよびプログラムキー）を選択する場合には、図９に示すように、タッチ位置の移動軌跡（白抜き矢印で図示）が不許可キーＫ１１として選択するキー以外の機能キーＫ１１を囲む枠状となるようタッチ位置を移動させるだけでよい。なお、図１０に示すように、枠（タッチ位置の移動軌跡）の内側のキーを不許可キーＫ１１として受け付けてもよい。
【００５９】
また、別の例として、端末タッチパネル部１３０は、複数の機能キーＫ１１のうちいずれかのキーに対するタッチを解除することなくタッチ位置を所定領域の外側に移動させる操作（以下、第２操作と称する）を選択操作として受け付ける。たとえば、所定領域は、複数の機能キーＫ１１の配置領域として予め定められた領域である。そして、端末タッチパネル部１３０は、第２操作が行われると、複数の機能キーＫ１１のうち、第２操作の操作対象となった機能キーＫ１１を不許可キーＫ１１とする旨を受け付ける。このような第２操作を選択操作として定めておくと、容易に、不許可キーＫ１１の選択を行うことができる。
【００６０】
具体的に、第２操作によって不許可キーＫ１１を選択する場合には、図１１に示すように、不許可キーＫ１１として選択するキーをタッチし、そのままタッチ位置を所定領域Ｆの外側に移動させるだけでよい。また、不許可キーＫ１１を複数選択するときには、第２操作を続けて行えばよい。
【００６１】
なお、端末タッチパネル部１３０は、第１操作および第２操作の両方を選択操作として受け付ける。あるいは、第１操作および第２操作のうち一方だけを選択操作として定めてもよい。また、第１操作および第２操作とは異なる操作を選択操作として定めてもよい。たとえば、不許可キーＫ１１として選択するキーに対する長押し操作を選択操作としてもよい。
【００６２】
本実施形態の携帯情報端末１００（表示入力装置）は、上記のように、設定操作を受け付けるための複数のソフトキー（画像）を配置した設定画面Ｓを表示する端末表示部１２０（表示部）と、設定画面Ｓに対する設定操作を受け付けるとともに、設定操作を受け付けるときに、複数のソフトキーのうちから、通信先となる相手機での表示を許可しない画像である不許可キー（不許可画像）を選択するための選択操作も受け付ける端末タッチパネル部１３０と、設定画面Ｓから不許可キーを省略した画面を共有画面ＳＳとして相手機に表示させるための画面データを相手機に送信し、共有画面ＳＳを相手機に表示させる端末通信部１４０と、を備える。
【００６３】
本実施形態の構成では、端末タッチパネル部１３０は、設定画面Ｓ（複数のソフトキーを配置した画面）に対する設定操作を受け付けるときに、複数のソフトキーのうちから、通信先となる相手機での表示を許可しないキーである不許可キーを選択するための選択操作も受け付ける。これにより、設定画面Ｓに対して設定操作を行っているときに、不許可キーを任意に選択することができる。したがって、ユーザーの利便性が向上する。また、この構成では、選択操作を受け付けることによって不許可キーを選択するので、複数のソフトキーごとに相手機での表示を許可するか否かを予め定めておく作業が不要となる。
【００６４】
また、本実施形態では、上記のように、相手機にて共有画面ＳＳに対するタッチ操作が行われることにより相手機から送信されるデータであり、相手機での共有画面ＳＳに対する操作内容を示すデータである操作データを端末通信部１４０が受信したとき、端末表示部１２０は、現在表示中の設定画面Ｓから、相手機での共有画面ＳＳに対するタッチ操作と同じ操作が設定画面Ｓに対して行われた場合に表示すべき画面への表示切替を行う。これにより、現在表示中の設定画面Ｓに対してどのようなタッチ操作を行うべきかが分からなくても、相手機ユーザーに操作手順を示してもらうことができる。
【００６５】
また、本実施形態では、上記のように、画面データ（相手機に共有画面ＳＳを表示させるためのデータ）は、選択操作の受付時に端末表示部１２０が表示していた設定画面Ｓの下位階層の画面を表示するためのデータを含まない。これにより、相手機にて共有画面ＳＳに対するタッチ操作が行われても、相手機の表示画面は共有画面ＳＳのまま保持される。したがって、相手機ユーザーに見られたくない、あるいは、操作されたくないソフトキーが設定画面Ｓの下位階層の画面内に存在する場合、そのソフトキーが相手機ユーザーに見られたり操作されたりするのを抑制することができる。
【００６６】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる
【符号の説明】
【００６７】
１００  携帯情報端末（表示入力装置）
１２０  端末表示部（表示部）
１３０  端末タッチパネル部（タッチパネル部）
１４０  端末通信部（通信部）
２００  画像形成装置
Ｓ  設定画面
ＳＳ  共有画面
【図１】
2016033753.tif 000003
【図２】
2016033753.tif 000004
【図３】
2016033753.tif 000005
【図４】
2016033753.tif 000006
【図５】
2016033753.tif 000007
【図６】
2016033753.tif 000008
【図７】
2016033753.tif 000009
【図８】
2016033753.tif 000010
【図９】
2016033753.tif 000011
【図１０】
2016033753.tif 000012
【図１１】
2016033753.tif 000013